(57)【要約】      （修正有） 【課題】金具のズリ下がりを防止できると共に、上方移動調整操作も容易に行うことができる配管支持金具を提供する。【解決手段】縦板部１１の前面上下に係止板部１２ａ，１２ｂを突設すると共に、前記係止板部の側辺に、抜け止め用鉤片部１３ａ，１３ｂを備えて吊杆部材Ａを挿通状態で嵌合する装着凹部１４ａ，１４ｂを設け、且つ縦板部１１の前面に吊杆部材Ａに対する押圧用バネ板部１８を設けてなる保持体部１と、縦板部１１の背面に設けた配管支持体部２とで構成される配管支持金具において、一方の装着凹部１４ａに対応する押圧板部を省略する。上方係止板部１２ａを、上外方に折曲形成し、吊杆部材Ａへの装着状態における傾斜係止板部（上方係止板部１２ａ）の装着凹部１４ａの水平開口幅が、吊杆部材Ａの直径よりの幅狭となるように設ける。【選択図】図１
0003167446.tif 000002
【実用新案登録請求の範囲】
【請求項１】
縦板部の前面上下に係止板部を突設すると共に、前記係止板部の側辺に、前方側に抜け止め用鉤片部を備えて吊杆部材を挿通状態で嵌合する装着凹部を設け、且つ縦板部の前面に吊杆部材に対する押圧用バネ板部を設けてなる保持体部と、前記縦板部の背面に設けた配管支持体部とで構成される配管支持金具において、係止板部の何れか一方を、上下外方に折曲形成し、吊杆部材への装着状態における傾斜係止板部の装着凹部の水平開口幅が、吊杆部材直径より幅狭となるように設けたことを特徴とする配管支持金具。
【請求項２】
上方係止板部を上外方に折曲してなると共に、縦板部の略上下中間に固着したバネ板部を、吊杆部材への押圧作用を為すように下方へ傾斜起立させて設けてなる請求項１記載の配管支持金具。
【請求項３】
縦板部の上方適宜個所に、上部内縁に係止突部を垂設した装着用横孔を形成し、配管支持体部を、湾曲コ状に形成すると共に、下方適宜個所を枢結し、或いは下方先端部を縦板部の下側に枢支して上方部分を開口自在に設け、上方先端部を前記装着横孔に挿入可能に形成すると共に係止突部の嵌合孔を設け、バネ板部を上方へ延長させて、装着横孔の下方部分を閉塞して装着横孔に挿通して縦板部前面に突出した配管支持体部の上方先端部の支持部として設けてなる請求項２記載の配管支持金具。
【考案の詳細な説明】
【技術分野】
【０００１】
本考案は、主として建物内天井裏部分に吊下設置して天井板を支持するアンカーボルト（吊杆部材）に、天井裏配管を支持させる配管支持金具に関するものである。
【背景技術】
【０００２】
天井アンカーボルトを利用する配管支持具は、アンカーボルトに装着する保持体部と、配管を抱持する配管支持体部で構成され、保持体部が、縦板部の上下に係止板部を突設すると共に、前記係止板部の側辺に鉤状の装着凹部を設け、且つ縦板部の表面（係止片部の突設側の面）にアンカーボルトへの押圧用バネ板を設けてなるもので、配管支持体部は、前記縦板部の背面側に、先端を縦板部に係止自在に設けて、支持対象の配管を縦板部と抱持するようにしたものである（特許文献１、２、３）。
【０００３】
前記の配管支持具は、直立方向に設けられているアンカーボルトに対して、アンカーボルトが上下の装着凹部内に位置させ、押圧用バネ板でアンカーボルトを押圧することで、アンカーボルトを装着凹部における鉤状部分（装着凹部の前方部分）に位置させて、金具の横方向への抜けを防止して取り付けられる。
【０００４】
具体的には、特許文献１（特開平５−６０２７２号公報）に開示されている金具は、上下の装着凹部に対応してバネ板部におけるアンカーボルトと当接する押圧面の先端をアンカーボルト側に折曲し、アンカーボルトのネジ山に食い込むようにさせている。
【０００５】
特許文献２（特開平１１−２１０９３２号公報）に開示されている金具は、縦板部の上下中間個所に折り返し形状のバネ板部を設けて、上下装着凹部の中間個所のアンカーボルトを押圧するようにしている。
【０００６】
更に特許文献３（特開２００１−３４３０８８号公報）に開示されている金具は、バネ板を末広がり状に傾斜させて設け、上下のバネ板部の弾性復元力でアンカーボルト（吊杆部材）を押圧するようにしている。
【先行技術文献】
【特許文献】
【０００７】
【特許文献１】特開平５−６０２７２号公報。
【特許文献２】特開平１１−２１０９３２号公報。
【特許文献３】特開２００１−３４３０８８号公報。
【考案の概要】
【考案が解決しようとする課題】
【０００８】
前記の金具における上下の装着凹部内からのアンカーボルト（吊杆部材）の抜け止めは、バネ板部による押圧作用のみで行われている。従って上下装着凹部近傍の二か所に対して押圧作用が働く構造が必要であり（引用文献１，３の金具）、一か所に対しての押圧作用の場合には、上下装着凹部に対しての作用がバランスよくなされる構造が必要である。そこで本考案は、押圧作用が一方の装着凹部に対する構成で充分として構造の簡素化を実現する金具を提供するものである。
【０００９】
またアンカーボルト（吊杆部材）に装着する配管支持金具は、配管によって荷重が加わってズリ下がらないようにしなければならない。然し特許文献２に開示されている金具のように、装着凹部の前内縁のみがアンカーボルトのネジ山に食い込むものでは、外力が加わると前記の食い込みが容易に外れ、金具がズリ落ちてしまう。
【００１０】
更に特許文献１、３記載の金具は、装着凹部の前内縁部分と共にバネ板部の先端もアンカーボルトのネジ山に食い込むので、荷重が加わっても金具のズリ下がりが生ずる虞は無いが、金具の位置調整操作において問題がある。
【００１１】
即ち天井配管を金具に取り付ける作業が行い易いように、金具の上方空間が広いほうが良いので、配管支持金具は、天井アンカーボルトの下方部分に一旦装着し、その後上方に移動させると便利であるが、前記金具では、上方のバネ板部の先端がアンカーボルトのネジ山に食い込むので、上方への移動操作が非常に行い難い。
【００１２】
そこで本考案は、更に配管の荷重が加わってもズリ下がることなく、且つ上方への移動も容易に行うことのできる新規な配管支持金具を提案したものである。
【課題を解決するための手段】
【００１３】
本考案（請求項１）に係る配管支持金具は、縦板部の前面上下に係止板部を突設すると共に、前記係止板部の側辺に、前方側に抜け止め用鉤片部を備えて吊杆部材を挿通状態で嵌合する装着凹部を設け、且つ縦板部の前面に吊杆部材に対する押圧用バネ板部を設けてなる保持体部と、前記縦板部の背面に設けた配管支持体部とで構成される配管支持金具において、係止板部の何れか一方を、上下外方に折曲形成し、吊杆部材への装着状態における傾斜係止板部の装着凹部の水平開口幅が、吊杆部材直径よりの幅狭となるように設けたことを特徴とするものである。
【００１４】
而して吊杆部材に対して縦板部が上下方向で傾斜し、且つ左右方向でも傾斜している状態（吊杆部材をＺ軸とした場合におけるＸ−Ｙ軸方向においての傾斜）で、傾斜係止板部の装着凹部内に吊杆部材が挿通状態となるように引っ掛け、そして金具全体を、縦板部が吊杆部材と平行になるようにしながら他方の係止板部の装着凹部内に吊杆部材を挿通状態とすると、バネ板部が押し込まれるので、バネ板部の復帰力で吊杆部材を押圧し、金具が吊杆部材に取り付けられることになる。
【００１５】
特に傾斜係止板部の装着凹部において、縦板部が傾斜している取り付け前の状態では、装着凹部の前後内縁の間隔が広く、吊杆部材の挿入が容易になされるが、取り付け後は装着凹部の前後内縁の間隔が狭くなって、吊杆部材の抜けが防止されるもので、傾斜係止板部においては、特に吊杆部材に対する押圧を必要としない。
【００１６】
また本考案（請求項２）に係る配管支持具は、前記の金具において、特に上方係止板部を上外方に折曲してなると共に、縦板部の略上下中間に固着したバネ板部を、吊杆部材への押圧作用を為すように下方へ傾斜起立させて設けてなるものである。
【００１７】
従って金具装着時には、上下装着凹部の前内縁がアンカーボルトのネジ山に食い込むと共に、下方装着凹部に対向して斜め上方から食い込むので、配管の荷重を受けてもズリ下がることが無い。また上下装着凹部の前内縁のネジ山の食い込みを外すと、下方のバネ板部は下向き傾斜となっているので、金具の上方移動操作を容易に行うことができる。
【考案の効果】
【００１８】
本考案は上記の通りの構成で、吊杆部材を挿通する一方の係止板部を傾斜させて設けているものであるから、バネ板による押圧作用が無くても傾斜係止板部の装着凹部における吊杆部材の抜け止めを実現することができ、更に傾斜係止板部を上方係止板部に採用し、下方装着凹部に対応するバネ板部を下方向き傾斜とすることで、金具のズリ下がりを防止できると共に、上方移動調整操作も容易に行うことができるものである。
【図面の簡単な説明】
【００１９】
【図１】本考案の実施形態の全体斜視図。
【図２】同装着時の説明図（装着開始時の断面図）。
【図３】同装着時の説明図（装着時の断面図）。
【図４】同使用状態の説明図。
【考案を実施するための形態】
【００２０】
次に本考案の実施形態について説明する。実施形態に示した金具は、保持体部１と配管支持体部２で構成される。
【００２１】
保持体部１は、全体の側面視をコ状に形成しているもので、適宜幅及び高さを有する縦板部１１の上下を前面側に折曲して係止板部１２ａ，１２ｂを突設したものであり、特に上方係止板部１２ａは、先方（前方）を上方に傾斜させて傾斜係止板部としてなるものである。
【００２２】
この係止板部１２ａ，１２ｂの一方の側辺（上下同一側）には、抜け止め用の鉤片部１３ａ，１３ｂを備えて吊杆部材Ａを挿通状態で嵌合する装着凹部１４ａ，１４ｂを設けてなる。
【００２３】
前記装着凹部１４ａ，１４ｂは、鉤片部１３ａ，１３ｂを越えて装着対象の吊杆部材Ａが側方から差し入れ可能である大きさで、且つ前後縁間隔を吊杆部材Ａの直径に近似する幅としたものである。
【００２４】
また縦板部１１の上方適宜個所に配管支持体部２の装着用の横孔１５を形成すると共に、前記横孔１５の上部内縁には、係止突部１６を垂設してなる。
【００２５】
更に縦板部１１の前面には、バネ板１７を設けたもので、バネ板１７の下方部分は、跳ね上げ状態に設けて、先端を下方装着凹部１４ｂの上方位置まで突出させてバネ板部１８に形成し、バネ板１７の上方部分は、先端が横孔１５の一部を閉塞し、且つ係止突部１６の下縁に一致するようにして、抜止部１９に形成してなるものである。
【００２６】
配管支持体部２は、全体が湾曲コ状に形成して縦板部１１とで支持すべき配管Ｂを抱持できる形状としたもので、下方先端部（枢止部）２１を、縦板部１１の下側に穿設した枢結孔に挿通折曲して枢止し、上方部分を開口自在に設けたものである。
【００２７】
上方先端部（連結部）２２は、前記した縦板部１１に設けた横孔１５に挿入可能に形成すると共に、係止突部１６に対応する嵌合孔２３を設けたものである。
【００２８】
而して吊杆部材Ａに対して前記金具を装着するものであるが、最初に上方係止板部１２ａが吊杆部材Ａに対して直交する状態で、上方係止板部１２ａの上方装着凹部１４ａ内に吊杆部材Ａが挿通状態となるように引っ掛ける（図２）。
【００２９】
次に前記状態で金具の下方を右方（装着凹部の開口側が吊杆部材Ａに対面する方向）に捩じりながら、下方係止板部１２ｂの下方装着凹部１４ｂ内に吊杆部材Ａが挿通状態となるように引っ掛けると、縦板部１１は吊杆部材Ａに装着される（図３）。
【００３０】
即ち前記の装着状態における上方係止板部（傾斜係止板部）１２ａの上方装着凹部１４ａでは、図２に示す取り付け当初の状態において、上方装着凹部１４ａの開口部個所の間隔は、吊杆部材Ａの挿入が容易になされる幅を備えるが、取り付け後においては、上方装着凹部１４ａの開口間隔（水平方向の幅）が狭くなって、上方装着凹部１４ａから吊杆部材Ａが抜け出るのを防止している。
【００３１】
更に下方係止板部１２ｂの下方装着凹部１４ｂにおいては、吊杆部材Ａが挿通状態になると、バネ板部１８が縦板部１１方向に押し込まれることで、バネ板部１８の弾性復帰力で吊杆部材Ａを下方装着凹部１４ｂの前内縁に強く押圧される。
【００３２】
従って吊杆部材Ａは、鉤片部１３ａ，１３ｂによって装着凹部１４ａ，１４ｂの開口側からの離脱が防止され、吊杆部材Ａがネジ棒（アンカーボルト）であれば、装着凹部１４ａ，１４ｂの前内縁がネジ山に食い込むと共に、バネ板部１８の先端もネジ山に食い込むみ、金具に配管Ｂを保持させて荷重が加わったとしても、保持体部１は吊杆部材Ａに確りと固定されるものである。特に金具に後述するように配管Ｂを装着すると、配管Ｂの荷重によって、金具上方では、背面方向に引っ張られる力が作用するので、上方装着凹部１４ａの前内縁のネジ山への食い込みが確りと為される。
【００３３】
そして保持体部１が吊杆部材Ａに固定された後、配管Ｂを金具に抱持させるもので、配管Ｂを配管支持体部２の内方に載置した状態で閉口方向に回動し、先端の連結部２２を横孔１５に差し入れると共に、抜止部１９を前方に押し出す。係止突部１６が嵌合孔２３の位置に達すると、係止突部１６を嵌合孔２３に嵌合させ、抜止部１９が後退（復帰）して連結部２２の下方に位置すると、係止突部１６の嵌合孔２３への嵌合状態を維持することになり、配管支持体部２が保持体部１に連結されるものである。
【００３４】
更に金具を吊杆部材Ａに装着した後（配管Ｂを装着前後に関わらず）に、金具を上方に移動作用とする場合には、手で金具を保持し、上下の装着凹部１４ａ，１４ｂの前内縁のネジ山への食い込みを解除すると、バネ板部１８が下向き傾斜であるので、そのまま上方に移動させることができるものである。
【００３５】
尚本考案は前記実施形態に限定されるものではなく、傾斜係止板部を下方係止板部に適用しても良いし、配管支持体部２の先端を保持体部１の下方に固着し、配管支持体部２の下方適宜個所を枢結構造として、配管支持体部２の開閉を行うようにしても良い。
【符号の説明】
【００３６】
１      保持体部
１１    縦板部
１２ａ  上方係止板部（傾斜係止板部）
１２ｂ  下方係止板部
１３ａ，１３ｂ  鉤片部
１４ａ  上方装着凹部
１４ｂ  下方装着凹部
１５    横孔
１６    係止突部
１７    バネ板
１８    バネ板部
１９    抜止部
２      配管支持体部
２１    枢止部
２２    連結部
２３    嵌合孔
【図１】
0003167446.tif 000003
【図２】
0003167446.tif 000004
【図３】
0003167446.tif 000005
【図４】
0003167446.tif 000006